(57)【要約】      （修正有）【課題】オリジナル性に富んだ装飾を自在に表現することが可能であるとともに、全体の外観形状について高い美感を備えた装飾用ボード並びに該装飾用ボードと装飾シート材とを組み合わせた装飾キッドを提供する。【解決手段】表装面を自由に装飾可能な装飾用ボード１は、所定形状に組まれた状態で固定された木枠の表面に平板１４が備えられて成る基台１１と、該平板１４を被覆した状態に敷かれる緩衝シート材１６と、該緩衝シート材１６が敷かれた状態で基台１１の少なくとも表面及び側面全体を被覆する耐熱性を有する表装シート材１８と、から構成されている。装飾シート材は裏面に熱融解接着剤が塗布される。【選択図】図１
0003182412.tif 000002
【実用新案登録請求の範囲】
【請求項１】
表装面を自由に装飾可能な装飾用のボードであって、
所定形状に組まれた状態で固定された木枠の表面に平板が備えられて成る基台と、該平板を被覆した状態に敷かれる緩衝シート材と、該緩衝シート材が敷かれた状態で基台の少なくとも表面及び側面全体を被覆する耐熱性を有する表装シート材と、から構成されていることを特徴とする装飾用ボード。
【請求項２】
前記装飾用ボードにおいて、前記平板と緩衝シート材との間に、磁着性を有する金属板が備えられていることを特徴とする請求項１に記載の装飾用ボード。
【請求項３】
前記装飾用ボードにおいて、前記表装シート材が、基台裏面における木枠部分まで被覆していることを特徴とする請求項１または請求項２に記載の装飾用ボード。
【請求項４】
前記請求項１乃至請求項３のいずれかに記載の装飾用ボードと、裏面に熱融解接着剤が塗布された装飾シート材と、から構成されていることを特徴とする装飾キッド
【請求項５】
前記装飾キッドにおいて、前記装飾シート材を定形にカットするための型紙が備えられていることを特徴とする請求項４に記載の装飾キッド
【請求項６】
前記装飾キッドにおいて、前記装飾シート材の表面若しくは裏面の少なくともいずれか一方に、該装飾シート材を定形にカットするためのカット線が記載されていることを特徴とする請求項４に記載の装飾キッド
【請求項７】
前記装飾キッドにおいて、前記装飾シート材が予め定形にカットされていることを特徴とする請求項４に記載の装飾キッド
【考案の詳細な説明】
【技術分野】
【０００１】
本考案は、装飾用ボード並びに装飾キッドに関し、詳しくは、表装面を自由に装飾可能であって、かつ、写真や飾り物なども貼り付け可能な装飾用ボード並びに該装飾用ボードを用いた装飾キッドに関するものである。
【背景技術】
【０００２】
従来より、部屋の壁面等において、写真や絵画、メモ用紙などといった装飾対象物を飾ったり、あるいは、貼り付け・係止したりする際に、内部に該装飾対象物を挟み込む態様のフォトスタンドに代表されるような額類や、該装飾対象物を鋲で突き刺して係止させるコルクボードなどの装飾用ボードが存在する。
【０００３】
このうち額類は、内部に装飾対象物を挟み込む態様であるため、いったん挟み込まれた装飾対象物を安定的に保持する点において利点はあるものの、かかる装飾対象物を交換しようとする場合に、裏蓋を外す必要があるなど入れ替え作業が煩わしく手間が掛かるとともに、複数の装飾対象物を同時に飾る場合に、そのレイアウトの固定性に問題があるものであった。
【０００４】
一方、上記従来の装飾用ボードは、装飾対象物を鋲で突き刺して係止させる態様であるため、装飾対象物の交換を容易に行うことができるという利点があるものの、装飾用ボード自体には何らデザインが施されておらず、全体の外観形状について美感性に乏しいものであるとともに、装飾対象物を鋲で突き刺して係止させるために、該装飾対象物に常に鋲孔が開いてしまうものであった。
【０００５】
そこで本出願人は、上記の従来技術の利点・欠点に鑑み、デザインを自由に施すことで、その外観形状について美感性に富んだ、使用者だけのオリジナル性のある装飾用ボードを創作したいとの着想から、本考案を提案するに至ったものである。
【０００６】
【特許文献１】特開２０１０−１２０１６２号公報
【特許文献２】特開２００９−１３７０６９号公報
【特許文献２】特開平７−２４７６２０号公報
【特許文献２】特開平７−２４６２８６号公報
【考案の開示】
【考案が解決しようとする課題】
【０００７】
本考案は、上記事情に鑑みてなされたものであり、オリジナル性に富んだ装飾を自在に表現することが可能であるとともに、全体の外観形状について高い美感を備えた装飾用ボード並びに該装飾用ボードと装飾シート材とを組み合わせた装飾キッドを提供することを課題としている。
【課題を解決するための手段】
【０００８】
このような課題を解決するために、請求項１に係る考案は、表装面を自由に装飾可能な装飾用のボードであって、所定形状に組まれた状態で固定された木枠の表面に平板が備えられて成る基台と、該平板を被覆した状態に敷かれる緩衝シート材と、該緩衝シート材が敷かれた状態で基台の少なくとも表面及び側面全体を被覆する耐熱性を有する表装シート材と、から構成されている。
【０００９】
また、請求項２に係る考案は、前記装飾用ボードにおいて、前記平板と緩衝シート材との間に、磁着性を有する金属板が備えられている構成となっている。
【００１０】
さらに、請求項３に係る考案は、前記装飾用ボードにおいて、前記表装シート材が、基台裏面における木枠部分まで被覆している構成となっている。
【００１１】
またさらに、請求項４に係る考案は、前記いずれかの装飾用ボードと、裏面に熱融解接着剤が塗布された装飾シート材と、から構成される装飾キッドである。
【００１２】
さらにまた、請求項５に係る考案は、前記装飾キッドにおいて、前記装飾シート材を定形にカットするための型紙が備えられている構成を採用する。
【００１３】
そしてまた、請求項６に係る考案は、前記装飾キッドにおいて、前記装飾シート材の表面若しくは裏面の少なくともいずれか一方に、該装飾シート材を定形にカットするためのカット線が記載されている構成となっている。
【００１４】
さらにまた、請求項７に係る考案は、前記装飾キッドにおいて、前記装飾シート材が予め定形にカットされている構成となっている。
【考案の効果】
【００１５】
本考案に係る装飾用ボードによれば、表装シート材上において、色やデザインを自由に決定しつつオリジナル性に富んだ装飾を自在に表現することが可能であり、また、平板と緩衝シート材との間に磁着性の金属板が備えられることで、写真等のディスプレイとしても使用可能であって、さらには、全体がキャンパス風に構成されているため、その外観形状について高い美感を備え、観者の美的感覚を刺激するといった、優れた効果を奏するものである。
【００１６】
また、本考案に係る装飾キッドによれば、装飾用ボードと装飾シート材とをセットにすることで、該装飾シート材を自由なデザインでカットして装飾用ボードの表装シート材上に貼着することができ、しかも該装飾シート材の裏面には熱融解接着剤が塗布されているため、例えば家庭用アイロンを使用することで表装シート材上に容易に貼着でき、オリジナル性あふれる装飾用ボードを簡単に作製することが可能であるといった、優れた効果を奏するものである。
【図面の簡単な説明】
【００１７】
【図１】本考案に係る装飾用ボードの実施形態を示す説明図である。（実施例１）
【図２】本考案に係る装飾用ボードの実施形態を示す側断面図である。（実施例１）
【図３】本考案に係る装飾キッドの実施形態を示す説明図である。（実施例２）
【図４】本考案に係る装飾キッドによる装飾用ボードの作製手順を示す説明図である。（実施例２）
【考案を実施するための最良の形態】
【００１８】
以下、本考案に係る装飾用ボード１並びに装飾キッド２の実施形態について、図面を参照しながら説明する。
なお、本考案は、下記の実施形態に示した構成に特に限定されるものではなく、本考案の技術的思想の要旨に逸脱しない範囲で、任意に変更することができるものである。
【実施例１】
【００１９】
図１及び図２は、本考案に係る装飾用ボード１の実施形態を示しており、図１は装飾用ボード１の各構成要素を示す分解斜視図、図２は装飾用ボード１の側断面図である。
該装飾用ボード１は、基台１１と、緩衝シート材１６と、表装シート材１８と、から構成されている。
【００２０】
基台１１は、所要長さ・幅・厚さを有する木製の棒状物１２を所定形状に組ませ、その状態で該棒状物１２同士を固定することでできる木枠１３の表面に、木枠１３の外形と同形状の平板１４が備えられて構成されている。このとき、該平板１４の材質について特に限定するものではなく、例えば木枠１３と同様に木製としたり、あるいは、磁着性を有する金属製とする態様が考え得る。
【００２１】
なお、該棒状物１２を組ませることで完成する木枠１３の形状について、図面では一般的な形状である四角形状に組ませた場合について示しているが、かかる形状に限定するものではなく、円形状や多角形状等といった種々の形状に組ませる態様が可能である。
【００２２】
緩衝シート材１６は、前記平板１４と後述する表装シート材１８との間に敷設されて緩衝作用を呈するものであって、全体が布製から成り、前記平板１４の表面全体を覆う形状を有した構成を採る。すなわち、図面で示すように、平板１４が四角形状である場合は、緩衝シート材１６も同様に四角形状を有することとなる。
【００２３】
該緩衝シート材１６の材質について、布製であれば特に限定はないが、緩衝作用を呈するという機能上、ある程度の厚みを有したクッション性のある素材から成ることが好ましく、例えばフェルト生地製とすることが考え得る。
【００２４】
このように、平板１４と表装シート材１８との間に緩衝シート材１６を介在させることにより、完成品が該表装シート材１８側からのクッション性を有するものとすることができる。
【００２５】
表装シート材１８は、耐熱性を有する布製のシート状物であって、前記緩衝シート材１６が平板１４の表面に敷かれた状態の基台１１に対し、その表面及び側面全体を被覆するための大きさを有している。すなわち、前記棒状物１２の厚みと平板１４の厚みを足した長さが基台１１の側面高さであり、したがって表装シート材１８の形状は、少なくともその基台１１の側面高さ分だけ平板１４の表面積より四方に一回り大きい形状となっている。なお、表装シート材１８を棒状物１２の表面から側面へ折った際に、四隅が重り合って厚みが増すこととなるため、予め該表装シート材１８の四隅を切り欠いておく態様も考え得る。
【００２６】
このように、表装シート材１８によって基台１１の表面だけでなく側面全体をも被覆させることで、棒状物１２の厚み面が剥き出しにならず、全体外観として美観を呈する装飾用ボード１を提供することが可能であると共に、当該側面にも装飾を施すことが可能となる。
【００２７】
ところで、該表装シート材１８について、基台１１の裏面における木枠１３の部分まで巻き込むように被覆可能な大きさとすることが考え得る。すなわち、前記棒状物１２の幅がそのまま基台１１裏面の木枠１３部分であり、その木枠１３部分を被覆すべく、表装シート材１８の形状について、棒状物１２の幅分だけさらに四方に大きい形状とする態様である。なおこのとき、表装シート材１８の四辺について棒状物１２を巻き込むように折ることとなるが、その際に該表装シート材１８の四隅が重り合って厚みが増すこととなるため、予め該表装シート材１８の四隅を切り欠いておく態様も考え得る。
【００２８】
かかる表装シート材１８によって基台１１の表面及び側面だけでなく裏面をも被覆させる態様を採用することにより、基台１１裏面の木枠１３部分を該表装シート材１８で覆って隠すことで、棒状物１２の剥き出し箇所が完全になくなり、全体外観として更に美観を呈する装飾用ボード１を提供することが可能となる。
【００２９】
なお、該表装シート材１８の材質については、耐熱性を有する布製であれば特に限定はなく、例えば麻布製とすることが考え得る。また、該表装シート材１８の色についても特に限定はなく、白色や麻色その他多様の色が考えられ、さらに全体が一色であることを要するものでもない。
【００３０】
かかる表装シート材１８の取り付けに際しては、該表装シート材１８の周縁端部を木枠１３（棒状物１２）に取り付ける態様となる。その際の取り付け方法については、特に限定はなく、釘等の止め具を使用する態様や、接着剤により接着する態様などが考え得る。このとき、最終的に完成する装飾用ボード１の外観を考慮して、絵画用キャンバスに使用されるキャンバス釘（通称「タックス」）を使用する態様が可能であり、かかる態様を採用することで、全体外観として絵画用キャンバス風の美観を呈する装飾用ボード１を提供することが可能となる。
【００３１】
以上の各構成要素により、本考案に係る装飾用ボード１が完成する。かかる完成した装飾用ボード１は、自由な大きさに成形することが可能であって、木枠１３と表装シート材１８から構成されることで絵画用キャンバス風の外観を呈しており、観者の美感を想起させるものとなる。そして、表装シート材１８の内部には、平板１４と緩衝シート材１６が備えられているため、装飾対象物を鋲などで突き刺し係止することが容易であるとともに、該平板１４が磁着性を有する金属製から構成される態様を採用すれば、装飾対象物をその上から磁石で係止することも可能となる。また、緩衝シート材１６の作用によりクッション性を有することから、後述する裏面に熱融解接着剤が塗布された装飾シート材３０を自由にカットするなどして、該カットされた装飾シート材３０を家庭用のアイロンを使用して表装シート材１８上に貼り付けることも容易に行うことができるものである。
【００３２】
ところで、前記装飾用ボード１において、その内部に磁着性を有する金属板２０を備える態様が考え得る。該金属板２０は、前記緩衝シート材１６の緩衝作用を阻害しないよう、平板１４と緩衝シート材１６との間に備えられる。
【００３３】
該金属板２０の材質について、金属製であって磁着性を有していれば特に限定はなく、例えば鉄製とすることが考え得る。
該金属板２０の形状については、板状であって、前記平板１４の表面全体を覆う形状を採用する。すなわち、図面で示すように、平板１４が四角形状である場合は、金属板２０も同様に四角形状を有することとなる。
【００３４】
このように、平板１４と緩衝シート材１６との間に磁着性を有する金属板２０を介在させることにより、表装シート材１８上において装飾対象物を磁石で係止することが可能となる。
【００３５】
なお、本考案に係る装飾用ボード１について、その裏面若しくは側面所定箇所に取手を備え付ける構成態様が考え得る。このとき、備え付けられる取手の形状等については任意である。かかる取手を備え付けることにより、装飾用ボード１の持ち運びの利便性を図ることが可能になると共に、表装シート材１８にカバン模様を施すことで、該取手とセットで装飾用ボード１全体としてカバン風のインテリア材として機能することとなる。
【００３６】
また同様に、本考案に係る装飾用ボード１について、その裏面若しくは側面所定箇所に引掛具を備える構成態様が可能である。このとき、備えられる引掛具の構造・形状等については任意であり、例えばフックなどが考え得る。かかる引掛具を備えることにより、装飾用ボード１を室内壁面等に引っ掛けることができ、飾る場所について制限なく自由に選択することが可能となる。
【００３７】
さらに、本考案に係る装飾用ボード１について、表装シート材１８の表面側に、フックなどの引掛具や鏡、時計その他の機能性アイテムを備え付ける態様も可能である。かかる態様を採ることで、備え付けるアイテムに従って、本考案に係る装飾用ボード１に種々の機能を発揮させることが可能となる。
【実施例２】
【００３８】
図３及び図４は、本考案に係る装飾用キッド２の実施形態を示しており、図３は装飾用キッド２の各構成要素を示す斜視図、図４は装飾用キッド２による装飾用ボード１の作製手順を示す説明図である。
該装飾用キッド２は、上記実施例１で詳述した装飾用ボード１と、装飾シート材３０と、から構成されている。
【００３９】
装飾シート材３０は、所定形状のシート状物３１であって、その裏面には熱融解接着剤３２が塗布されて構成されており、また、その表面が透明のビニール被膜により被覆されている場合もある。なお、該シート状物３１の材質について特に限定するものではないが、例えば紙製であったり、あるいは、アイロンプリントシートから成る態様が考え得る。また、装飾シート材３０の色彩についても、特に限定するものではない。
【００４０】
該装飾シート材３０は、ハサミやカッターなどで自由にカットすることができるものであって、そのカットされた装飾シート片３１は、装飾用ボード１上を装飾するために使用される。
【００４１】
ところで、該装飾シート材３０を所定デザインにカットするために、本装飾キッド２の構成要素として型紙が備えられている。該型紙は例えば紙製であって、通常の型紙同様、植物や動物、文字その他の模様など定形状を模した形状となっている。かかる型紙は、予め定形状にカットされたものが複数個備えられる態様も可能であり、あるいは、所定シート面に該定形状にカット可能な切取線が記載され、その切取線に沿ってカットすることで必要な型紙を作製する態様も考え得る。
【００４２】
また、装飾キッド２として前記型紙を備える態様ではなく、図面に示すように、前記装飾シート材３０を定形にカットするためのカット線３３が該装飾シート材３０に直接記載されている態様が可能である。かかるカット線３３は、装飾シート材３０の上下面いずれか一方若しくは両方に記載され、該カット線３３に沿ってカットすることで必要な装飾シート片３１を作製することが可能である。
【００４３】
以上の通り構成される本考案にかかる装飾キッド２について、装飾用ボード１の作製手順について説明する。
（１）まず、装飾シート材３０をハサミやカッターでカットして、自由なデザイン形状の装飾シート片３１を作製する。その際、自ら好みのデザイン形状にカットすることとなるが、所定形状の型紙を利用してカットしたり、あるいは、装飾シート材３０に記載されたカット線３３沿ってカットすることで、定形の装飾シート片３１の作製が可能となる。ところで、装飾シート材３０の表面がビニール被膜により被覆されている場合には、該装飾シート材３０の裏面側からカッターによって任意のデザイン形状にカットすることとなるが、カットされた装飾シート片３１は最終的に表装シート材１８上にて表裏反転した状態で装飾されることとなるため、その点カットに注意を要する。なお、装飾シート材３０のカット後、装飾シート片３１以外の不要な部分については、ビニール被膜から剥がしておくこととなる。このとき、一枚のビニール被膜に複数の装飾シート片３１を残存させた状態とすることにより、各装飾シート片３１のレイアウトがビニール被膜に貼り付いたままくずれないため、後に装飾シート片３１を配置してデザインのレイアウトを行う際に、表装シート材１８上にビニール被膜ごと載置するだけで、全体デザインのレイアウトを容易に行うことが可能となる。
（２）次に、上記作製された装飾シート片３１を装飾用ボード１の表装シート材１８上に載せて、該表装シート材１８上にて自由にレイアウトする。その際、該装飾シート片３１における熱融解接着剤３２が塗布された裏面側を、表装シート材１８と当接させるように載せる。このとき、装飾シート材３０の表面がビニール被膜により被覆されている場合には、該ビニール被膜に装飾シート片３１がそのまま残存する状態にて、熱融解接着剤３２が塗布された裏面側を表装シート材１８と当接させつつ、該ビニール被膜ごと表装シート材１８上に載置する。なお、装飾用ボード１における正面だけでなく、表装シート材１８が被覆された側面側にも、装飾シート片３１による装飾を施すことが可能である。
（３）表装シート材１８上に装飾シート片３１が載った状態で、その上から家庭用アイロンを押し当てて熱を加える。その際、装飾シート片３１の上から直接家庭用アイロンを押し当てるのではなく、間にハンカチやタオル等の薄手の生地を挟み込んだ状態で家庭用アイロンを押し当てることが望ましい。
（４）装飾シート片３１全体に充分に熱が加えたれたら、押し当てられた家庭用アイロンを外し、自然冷却を行う。なお、装飾シート材３０の表面がビニール被膜により被覆されている場合には、最終的に該ビニール被膜を剥がすこととなる。
【００４４】
以上の作業手順を経ることで、本考案にかかる装飾キッド２を使用した装飾用ボード１は完成する。完成した装飾用ボード１は、装飾シート片３１の表面に熱が加えられることで、その裏面に塗布された熱融解接着剤３２の作用によって表装シート材１８と装飾シート片３１とが融着され、これにより該表装シート材１８が装飾シート片３１の模様形状デザインで装飾されることとなる。なお、表装シート材１８上において、複数の装飾シート片３１が重なり合うように配置して装飾する態様も可能であることは言うまでもない。
【００４５】
本考案に係る装飾用キッド２は、以上に述べた態様のほか、磁石やスベリ止めテープ、壁掛用フックやヒモ、鋲など、他の構成要素を付加した状態でワンセットとすることも可能である。
【産業上の利用可能性】
【００４６】
本考案によれば、装飾用ボード１上にオリジナル性に富んだ装飾を自在に表現することが可能であるとともに、該装飾用ボード１を容易に作製可能であって、完成した装飾用ボード１は、その全体がキャンパス風に構成されているため、その外観形状について高い美感を備え、観者の美的感覚を刺激するといった、優れた効果を奏するものであると共に、結婚式や誕生日等のお祝いボードとして、また、店頭看板として、さらに、部屋のインテリアとして、等々幅広い多くの用途が考えられるものであって、本考案にかかる装飾用ボード１並びに装飾キッド２の産業上の利用可能性は大である。
【符号の説明】
【００４７】
１    装飾用ボード
２    装飾キッド
１１    基台
１２    棒状物
１３    木枠
１４    平板
１６    緩衝シート材
１８    表装シート材
２０    金属板
３０    装飾シート材
３１    装飾シート片
３２    熱融解接着剤
３３    カット線
【図１】
0003182412.tif 000003
【図２】
0003182412.tif 000004
【図３】
0003182412.tif 000005
【図４】
0003182412.tif 000006